(57)【要約】記録担体を複製する際に、ビット長の変化を犠牲にして同期ワードＳ１とＳ２との間の角度を維持するようにするか、あるいは同期ワードＳ１とＳ２との間の角度の変化を犠牲にしてビット長を維持するようにすることができる。このようにして、同期ワードＳ１とＳ２との間の角度か、または他のマーク間の角度の変化と、ビット長の変化との双方をチェックする再生装置は、違法に複製された記録担体を確実に検出することができる。
2008511091.tif 000002
【特許請求の範囲】
【請求項１】
記録担体識別情報を有する記録担体において、
記録担体識別情報は、当該記録担体の物理的パラメータを示す値を含み、かつ、前記物理的パラメータは、記録担体上の第１の予め定めた位置と記録担体上の第２の予め定めた位置との間の関係を表すようにしたことを特徴とする記録担体。
【請求項２】
物理的パラメータは、読み出し方向に対して垂直に、第１の予め定めた位置と交差する第１の線と、読み出し方向に対して垂直に、第２の予め定めた位置と交差する第２の線との間の角度であることを特徴とする、請求項１に記載の記録担体。
【請求項３】
物理的パラメータは、第１の予め定めた位置が位置付けられる第１の半径と、第２の予め定めた位置が位置付けられる第２の半径との間の差であることを特徴とする、請求項１に記載の記録担体。
【請求項４】
物理的パラメータはビット長であることを特徴とする請求項１に記載の記録担体。
【請求項５】
物理的パラメータは１回転当りのビット数であることを特徴とする請求項１に記載の記録担体。
【請求項６】
記録担体は、標準化した記録担体上の標準化した開始点に対してシフトした開始点を有するトラックを具えていることを特徴とする、請求項１、２、３、４または５に記載の記録担体。
【請求項７】
シフトした開始点は、トラックの終端方向にシフトされていることを特徴とする、請求項６に記載の記録担体。
【請求項８】
記録担体から記録担体識別情報を検索するための検索デバイスを具えている再生装置において、
検索デバイスは、当該記録担体の物理的パラメータを示す値を検索するように構成され、かつ前記物理的パラメータは、記録担体上の第１の予め定めた位置と記録担体上の第２の予め定めた位置との間の関係を表すようにし、再生装置はさらに、前記検索デバイスで検索した値と、再生装置に具えられた測定デバイスによって記録担体上で測定されるような物理的パラメータの測定値とを比較する、検証デバイスを具えていることを特徴とする再生装置。
【請求項９】
物理的パラメータは、読み出し方向に対して垂直に、第１の予め定めた位置と交差する第１の線と、読み出し方向に対して垂直に、第２の予め定めた位置と交差する第２の線との間の角度であることを特徴とする、請求項８に記載の再生装置。
【請求項１０】
物理的パラメータは、第１の予め定めた位置が位置付けられる第１の半径と、第２の予め定めた位置が位置付けられる第２の半径との間の差であることを特徴とする、請求項８に記載の再生装置。
【請求項１１】
物理的パラメータはビット長であることを特徴とする請求項８に記載の再生装置。
【請求項１２】
物理的パラメータは１回転当りのビット数であることを特徴とする請求項８に記載の再生装置。
【請求項１３】
請求項９および１０に記載の再生装置。
【請求項１４】
請求項１１および１２に記載の再生装置。
【請求項１５】
検証デバイスは、検索した値と測定した値との間に差が検出される場合は、再生装置の動作を阻止することを特徴とする、請求項６、７、８または９に記載の再生装置。
【請求項１６】
検索デバイスは、記録担体から当該記録担体の物理的パラメータを示す値を検索する際に、当該記録担体の物理的パラメータを示す値を解読するデバイスを具えていることを特徴とする、請求項８、９、１０、１１、１２、１３、１４または１５に記載の再生装置。
【発明の詳細な説明】
【技術分野】
【０００１】
本発明は、記録担体識別情報を含む記録担体、記録担体から記録担体識別情報を検索する検索デバイスを具えている再生装置、および記録担体識別情報を含む記録担体に記録する方法に関する。
【背景技術】
【０００２】
このような記録担体としては、暗号化データおよび暗号化データを解読するための鍵を記録担体に記録しているＤＶＤ記録担体が知られている。この暗号化および解読に関する情報は、ＤＶＤをリッピング、すなわち解読するのに現在広く用いられているコンピュータプログラムＤｅＣＳＳによって公然と入手することができる。
【０００３】
記録担体は、複製された記録担体にて、暗号化データが欠落していたり、および／または鍵が欠落していたりする場合に、違法コピーであると識別することができる。しかしながら、記録担体をビット単位で複製する方法を用いる場合には、鍵および暗号化データが双方とも複製した記録担体にコピーされ、オリジナルの記録担体と複製した記録担体とを区別できなくなる。
【０００４】
オリジナルの記録担体を複製するのにマスタリング機を用いることができ、これは、複製した記録担体の物理的な外観をオリジナルの記録担体に非常に似せたものにできるので、特に問題となる。例えば、ＲＯＭタイプのオリジナルの記録担体の記録層の反射率は、複製した記録担体と同じになり、これは、マスタリング機によって生成されるダイを使用して作られるため、複製した記録担体もまたＲＯＭタイプのものになるからである。さらに、ビット単位での複製は、使用する記録担体のフォーマットおよび暗号化と独立しており、したがって、フォーマットまたは暗号化に関係なく、将来の記録担体にも同じように適用できてしまう。
【０００５】
記録担体に記録した鍵を用い、かつその鍵を使用して記録担体上のデータを暗号化したとしても、マスタリング機を用いて行う違法な複製を阻止するには十分でないことは明らかである。
【発明の開示】
【発明が解決しようとする課題】
【０００６】
本発明の目的は、複製した後には、それが違法に複製された記録担体であることを再生装置に明かす複製記録担体となる記録担体を提供することにある。
【課題を解決するための手段】
【０００７】
この目的を達成するために、本発明の記録担体は、記録担体の識別に、当該記録担体の物理的パラメータを示す値を用い、かつ、この物理的パラメータは、記録担体上の第１の予め定めた位置と記録担体上の第２の予め定めた位置との間の関係を示すようにしたことを特徴とする。
【０００８】
記録担体の内容をそっくりそのままコピーする間に、物理的パラメータが複製プロセスによって影響を受けるので、記録担体に格納した物理的パラメータの値と、複製後に記録担体に存在するような実際の物理的パラメータの値との間に不一致が存在するようになる。
【０００９】
記録担体の一実施態様は、物理的パラメータを、読み出し方向に対して垂直に、第１の予め定めた位置と交差する第１の線と、読み出し方向に対して垂直に、第２の予め定めた位置と交差する第２の線との間の角度にしたことを特徴とする。
【００１０】
マスタリング機は、２つのモードで動作させることができ、それは、
−  軸方向および半径方向のモータをロックするようにできるモードと、
−  軸方向および半径方向のモータをロックしないようにできるモードと、である。
【００１１】
軸方向および半径方向のモータをロックしないと、マスタリング機相互間のばらつきのため、第１の予め定めた位置に対する第２の予め定めた位置がシフトすることになる。このため、請求項にて規定したような角度の値が、格納済みの値と比べて変化するので、複製した記録担体が違法な複製であることを示す。
【００１２】
記録担体の更なる実施態様は、物理的パラメータを、第１の予め定めた位置が位置付けられる第１の半径と、第２の予め定めた位置が位置付けられる第２の半径との間の差としたことを特徴とする。
【００１３】
マスタリング機は、２つのモードで動作させることができ、それは、
−  軸方向および半径方向のモータをロックするようにできるモードと、
−  軸方向および半径方向のモータをロックしないようにできるモードと、である。
【００１４】
軸方向および半径方向のモータをロックしないと、マスタリング機相互間のばらつきのため、第１の予め定めた位置に対する第２の予め定めた位置がシフトすることになる。このため、第１の予め定めた位置が位置付けられる第１の半径に対して、第２の予め定めた位置が位置付けられる第２の半径が変化する。
【００１５】
この変化のため、記録担体の実際の物理的パラメータである２つの半径の比が、格納値に比べて異なったものとなるので、複製した記録担体が違法な複製であることを示す。
【００１６】
記録担体の更なる実施態様は、物理的パラメータをビット長としたことを特徴とする。
【００１７】
軸方向および半径方向のモータをロックするマスタリング機を使用して記録担体を複製すると、１回転における所定トラックのビット数は一定になる。しかしながら、そのトラックが、オリジナルの記録担体に比べて内側または外側にシフトされている場合には、同数のビットがトラックの短め、または長めのセクションにわたって分配されるため、ビット長に変化が生じる。
【００１８】
記録担体の更なる実施態様は、物理的パラメータを、１回転当りのビット数としたことを特徴とする。
【００１９】
軸方向および半径方向のモータをロックしないマスタリング機を使用して記録担体を複製する場合には、１回転における所定トラックのビット数を制御することはできず、したがってビット数が変動することになる。このため、オリジナルの記録担体上の同じ位置でのトラックと比較した際の、所定トラックについての１回転当りのビット数が変化することになる。
【００２０】
記録担体の更なる実施態様は、記録担体が、標準化した記録担体上の標準化した開始点に対してシフトした開始点を有するトラックを具えることを特徴とする。
【００２１】
記録担体をマスタリングする際に、開始点に生じる通常のばらつきの他に、オリジナルの記録担体には、開始点のシフトが導入される。このようなオリジナルの記録担体を複製すると、開始点は標準規格によって規定されている開始点の方へとシフトすることになる。上述したように、少なくとも１つの物理的パラメータが、記録担体に格納されている値に比べて変化するため、開始点のいかなるシフトも検出することができる。
【００２２】
記録担体の更なる実施態様は、シフトした開始点が、トラックの終端方向にシフトされていることを特徴とする。
【００２３】
トラックの開始点をトラックの終端方向にシフトさせることによって、複製の結果によるシフトバックによって、記録担体における複製データは記録担体に収まるようになり、したがって複製プロセスを阻害することはないが、物理的特性は変化して、記録担体が違法なものであることを示すようになる。
【００２４】
本発明による再生装置は、検索デバイスを、記録担体の物理的パラメータを示す値を検索するように構成し、かつ物理的パラメータは記録担体上の第１の予め定めた位置と記録担体上の第２の予め定めた位置との間の関係を示すようにし、再生装置はさらに、前記検索デバイスで検索した値と、再生装置に具えられた測定デバイスによって記録担体上で測定されるような物理的パラメータの測定した値とを比較する、検証デバイスを具えることを特徴とする。
【００２５】
この再生装置は、記録担体から物理的パラメータを示す値を検索して、この値を、記録担体にて測定されるような測定値と比較する。記録担体がオリジナルの記録担体であるとき、この値と測定した物理的パラメータとは、予め定めたマージン内で一致する。
【００２６】
記録担体が違法に複製した記録担体であるときは、記録担体から検索した値および測定値は異なるものになり、記録担体は違法に複製した記録担体であると識別することができる。
【００２７】
記録担体の内容をそっくりそのままコピーする間に、物理的パラメータは複製プロセスによって影響を受けるので、記録担体に格納されている物理的パラメータの値と、複製後に記録担体上に存在するような実際の物理的パラメータの値との間に不一致が存在するようになる。
【００２８】
再生装置の一実施態様は、物理的パラメータを、読み出し方向に対して垂直に、第１の予め定めた位置と交差する第１の線と、読み出し方向に対して垂直に、第２の予め定めた位置と交差する第２の線との間の角度にしたことを特徴とする。
【００２９】
マスタリング機は、２つのモードで動作させることができ、それは、
−  軸方向および半径方向のモータをロックするようにできるモードと、
−  軸方向および半径方向のモータをロックしないようにできるモードと、である。
【００３０】
軸方向および半径方向のモータをロックしないと、マスタリング機相互間のばらつきのため、第１の予め定めた位置に対する第２の予め定めた位置がシフトするようになる。このため、角度の値が、格納済みの値と比べて変化するので、複製した記録担体が違法な複製であることを示す。この再生装置は、記録担体に格納されているような検索値と、記録担体にて測定されるような測定値との間の差を検出する。
【００３１】
再生装置の更なる実施態様は、物理的パラメータを、第１の予め定めた位置が位置付けられる第１の半径と、第２の予め定めた位置が位置付けられる第２の半径との間の差としたことを特徴とする。
【００３２】
マスタリング機は、２つのモードで動作させることができ、それは、
−  軸方向および半径方向のモータをロックするようにできるモードと、
−  軸方向および半径方向のモータをロックしないようにできるモードと、である。
【００３３】
軸方向および半径方向のモータをロックしないと、マスタリング機相互間のばらつきのため、第１の予め定めた位置に対する第２の予め定めた位置がシフトするようになる。このため、第１の予め定めた位置が位置付けられる第１の半径に対して、第２の予め定めた位置が位置付けられる第２の半径が変化する。
【００３４】
この変化のため、記録担体の実際の物理的パラメータである２つの半径の比が、格納値に比べて異なったものとなるので、複製した記録担体が違法な複製であることを示す。再生装置は、記録担体に格納されているような検索値と、記録担体にて測定されるような測定値との間の差を検出する。
【００３５】
再生装置の更なる実施態様は、物理的パラメータをビット長にしたことを特徴とする。
【００３６】
軸方向および半径方向のモータをロックするマスタリング機を使用して記録担体を複製すると、１回転における所定トラックのビット数は一定になる。しかしながら、そのトラックが、オリジナルの記録担体に比べて内側または外側にシフトされている場合には、同数のビットがトラックの短め、または長めのセクションにわたって分配されるため、ビット長の変化が生じる。この変化は、再生装置によって、記録担体にて測定されるようなビット長を、記録担体から検索されるようなビット長を表す値と比較することによって、容易に検出することができる。
【００３７】
再生装置の更なる実施態様は、物理的パラメータを、１回転当りのビット数としたことを特徴とする。
【００３８】
軸方向および半径方向のモータをロックしないマスタリング機を使用して記録担体を複製すると、１回転における所定トラックのビット数を制御することはできず、したがってビット数が変動することになる。このため、オリジナルの記録担体上の同じ位置でのトラックと比較した際の、所定トラックについての１回転当りのビット数が変化することになる。この変化は、再生装置によって、記録担体上のトラックの所定セクションにて測定されるような１回転当りのビット数を、記録担体から検索されるような１回転当りのビット数を表す値と比較することによって、容易に検出することができる。
【００３９】
再生装置の更なる実施態様は、記録担体を検証する物理的パラメータとして、角度および、半径の差、例えば半径の比の双方を使用することを特徴とする。
【００４０】
半径に関連した物理的パラメータおよび角度に関する物理的パラメータの双方を検証する再生装置は、マスタリング機が半径方向のモータおよび軸方向のモータをロックして動作しているか、または半径方向のモータおよび軸方向のモータをロックしないで動作しているかに関係なく、違法に複製した記録担体をオリジナルの記録担体と区別することが可能である。違法複製記録担体が、ロックした半径方向および軸方向のモータを使用してマスタリングされていた場合には、角度は変わらないが、半径の変化が明らかになる。違法複製記録担体が、ロックしていない半径方向および軸方向のモータを使用してマスタリングされていた場合には、半径は変化しないが、角度の変化が明らかになる。したがって、再生装置は、常に、違法複製記録担体を検出することができる。
【００４１】
再生装置の更なる実施態様は、記録担体を検証する物理的パラメータとして、ビット長と、１回転当りのビット数との双方を使用することを特徴とする。
【００４２】
ビット長に関連した物理的パラメータおよび１回転当りのビットの数に関する物理的パラメータの双方を検証する再生装置は、マスタリング機が半径方向のモータおよび軸方向のモータをロックして動作させたか、または半径方向のモータおよび軸方向のモータをロックしないで動作させていたかに関係なく、違法複製記録担体をオリジナルの記録担体と区別することが可能である。違法複製記録担体が、ロックした半径方向および軸方向のモータを使用してマスタリングされていた場合には、１回転当りのビット数は変化しないが、同数のビットがトラックの長め、または短めのセクションに格納されることになるため、ビット長の変化が明らかになる。違法複製記録担体が、ロックしていない半径方向および軸方向のモータを使用してマスタリングされていた場合には、ビット長は変化しないが、１回転当りのビット数の変化が明らかになる。したがって、再生装置は、常に、違法複製記録担体を検出することができる。
【００４３】
再生装置の更なる実施態様は、検索した値と測定した値との間に差が検出された場合に、検証デバイスが再生装置の動作を阻止することを特徴とする。
【００４４】
違法複製記録担体が検出されると、再生装置の検証デバイスがデータへのアクセスを阻止するため、そのデータの著作権が侵害されることはなくなる。
【００４５】
再生装置の更なる実施態様は、検索デバイスが、記録担体からその記録担体の物理的パラメータを示す値を検索するときに、その記録担体の物理的パラメータを示す値を解読するデバイスを具えることを特徴とする。
【００４６】
検証デバイスが、データへのアクセスを阻止できるようにするには、再生装置の解読デバイスによって、データの解読を阻止または禁止する方法がある。このようにして、違法複製記録担体が検出されたときに、データへのアクセスを達成することは阻止される。
【発明を実施するための最良の形態】
【００４７】
以下、本発明を、図面を参照して説明する。
【００４８】
本明細書で「マスタ」と記載する場合には、そのマスタから得られる記録担体のことも含意し、また、その逆もまたしかりである。
【００４９】
さらに、本明細書は、発明の背景原理を説明するために、ＲＯＭタイプの記録担体を用いているが、本明細書に開示するような特徴部を有するＲＯＭタイプの記録担体から記録可能タイプの記録担体への違法複製によると、記録可能タイプの記録担体への違法複製が検出されることにもなる。
【００５０】
図１は、マスタリング機を使用する通常の記録の構成を示している。
【００５１】
最新式のマスタリング機１においては、記録担体２の回転によりマスタ２に記録する線速度と、記録ヘッド３の半径方向の動きによる半径方向の速度とは、独立して制御される。２つの小バンド幅の制御ループが存在する。
【００５２】
並進制御ループ４は、マスタ２の回転軸に対する光スポットの相対半径ｒの測定値を並進制御装置６に供給する位置センサ５を具えている。位置センサ５のシステマチック誤差はマスタリング機１固有のものであり、＋／−５μｍ以内に特定される。現在、並進制御装置６からの半径ｒの値は、回転制御ループ７用の入力値としては使用されていない。したがって、並進制御ループ４および回転制御ループ７は完全に独立して機能し、それゆえ回転制御装置８は、ある所定のトラックピッチで回転数をカウントすることによって実際の半径を推定する。マスタセッションの終了時には、最終フレームの位置が、期待した位置と、あるマージン内で一致するかどうかをチェックする。
【００５３】
高周波のウォブルをトラックに適用するために、＋／−２００ｎｍのトラック偏差を加えることができる光偏向器を、光ビーム（図示せず）内に存在させている。
【００５４】
同じマスタクロックを、マスタクロックジェネレータ９からフォーマットジェネレータ１０およびマスタリング機１に供給することによって、隣接しているトラックのデータの位置を整列させることができる。
【００５５】
図２は、本発明によるマスタリング機を使用して、オリジナルのマスタ２を記録する構成を示している。
【００５６】
マスタリング機１のセキュアフォーマットジェネレータ２０は、外部から供給される調節可能なデータ遅延情報を使用して、データ遅延デバイス２１によって記録担体のデータの実際の記録開始を遅延させる。生成すべき各マスタ２に対するデータ遅延はそれぞれ異なるように調整することができる。
【００５７】
この方法は、事実上、２つの効果を有している。
【００５８】
１つは、データが、マスタ２の異なる半径にて異なる開始位置から開始するので、チャネルビット群の相互間の角度位置がシフトされることである。
【００５９】
もう１つは、マスタ２のトラック当りのチャネルビット数が変化することである。
【００６０】
マスタリングの期間中には、特定のチャネルビット群の角度位置およびトラック当りのビットの数を測定して、マスタ２に格納する。「セキュア」フォーマットジェネレータは、秘密のアルゴリズムおよび記録担体特有の鍵に従ってこれらの値を符号化する。
【００６１】
本発明は、マスタ２の開始位置の絶対半径を再現することは実際上不可能であるという認識に基づいて成したものである。前記２つの効果を測定し、これらを、マスタから得られる、記録担体に格納してある値と比較することで、違法に複製された記録担体を識別することができる。
【００６２】
図３は、違法に複製された記録担体を検出できるマークを有する記録担体を示している。
【００６３】
１つの選択肢として、マスタ２から得られる、記録担体の特別なマークを使用する他に、すでに存在している同期ワードを使用することもできる。
【００６４】
マスタリングの期間中には、少なくとも２つの同期ワードＳ１とＳ２との間のマスタ２上の相対的な角度位置を求めて、これを符号化し、記録担体に格納する。ブルーレイディスクＲＯＭでは、これらの動作をいわゆるＰＩＣバンドに集中させるのが有利である。フォーマットジェネレータおよびマスタリング機は、双方とも同じマスタクロックジェネレータに結合させる。したがって、フォーマットジェネレータにおいては、記録担体の回転数が分かっているから、これを、相対的な同期位置を計算するのに用いる。相対的な同期位置は、チャネルビットの単位か、または角度によって表すことができる。
【００６５】
相対的な角度同期位置は、回転および並進制御ループをロックする場合には、マスタリング機の開始半径の限られた絶対精度によっては影響を受けない。
【００６６】
違法に複製された記録担体は、実際の相対的な角度位置および記録担体に符号化した位置を比較することによって、プレーヤにより認識することができる。そのためには、相対的な角度同期位置を、記録担体の回転周波数と比較して測定するようにする。
【００６７】
本実施例の変形例として、任意のチャネルワードまたは任意の復号化チャネルワードまたは任意のエラー訂正したユーザデータワードの位置を使用することもできる。
【００６８】
同期ワードＳ１とＳ２との相対的な角度位置を求めるには、基準位置信号を用いるのが有効である。ほとんどの記録担体プレーヤには、例えばスピンドルモータを制御するためのタコ信号が存在し、このタコ信号を１回転当りのタコパルス数で除することによって、１回転当りのパルス（1-Pulse-Per-revolution：１ＰＰＲ）信号を導出することができる。
【００６９】
図４は、1ＰＰＲ信号の導出法を示している。
【００７０】
人工的な1ＰＰＲ信号は、以下のようにして導出することができる。
【００７１】
トラック４０における同期ワードＳ１を検出すると、読み取りスポットはこのトラックの隣接するセクションにジャンプして、トラック４０に追従することによって同期ワードＳ１に再び遭遇する。２回連続してＳ１が出現する間の時間は、記録担体の１回転の時間に等しい。記録担体の回転周波数、したがって記録担体の回転時間を一定に保つと共に、同期ワードＳ２のトラックへジャンプさせることによって、第１の同期ワードＳ１の発生時点と第２の同期ワードＳ２の発生時点との間の時間と、同期ワードＳ１が連続して出現する間の時間との比を求めることによって、Ｓ２のＳ１に対する相対位置を決定することができる。
【００７２】
図５は、記録担体の回転をロックして行う複製機構を示している。
【００７３】
ソースマスタリング機５０は、オリジナルの記録担体５１を読み取るために用い、コピーマスタリング機５２は、マスタ５３に記録するために用いる。
【００７４】
コピーマスタリング機５２の回転制御ループ５５は、ソースマスタリング機５０の回転制御ループ５４にロックする。これにより、マスタ５３は、オリジナルの記録担体５１と同じ回転速度で回転するようになる。
【００７５】
さらに、コピーマスタリング機５２の並進制御ループ５７も、ソースマスタリング機５０の並進制御ループ５６にロックする。これにより、ソースマスタリング機５０の読み取りヘッドの運動が、コピーマスタリング機５２の書込みヘッドによって再現される。コピーマスタリング機５２は、並進制御ループ５７の位置センサの、固有かつ個々のシステマチック誤差を有する。したがって、書込みヘッドの動きを、ソースマスタリング機５０の読み取りヘッドの動きに同期させても、書込みヘッドの絶対位置はソースマスタリング機５０の読み取りヘッドと同じ位置にはならない。
【００７６】
図６は、本発明による、第１の予め定めた位置および第２の予め定めた位置を有するオリジナルの記録担体を示す。
【００７７】
記録担体６０は、螺旋トラック６３を有している。本発明は円形トラックを有する記録担体にも同様に適用でき、螺旋トラックは非常に密であるため、螺旋トラックは円形トラックと等価なものとみなすことができる。したがって、図６には、第１の円形トラック６１および第２の円形トラック６２を示してある。第１の円形トラック６１上には、第１の予め定めた位置に第１のマーク６４が記録され、第２の円形トラック６２上には、予め定めた位置に第２のマーク６５が記録されている。記録担体の中心６６および第１の予め定めた位置６４を経て、第１の仮想線６７を記してある。記録担体の中心６６および第２の予め定めた位置６５を経て、第２の仮想線６８を記してある。
【００７８】
第１の仮想線６７と第２の仮想線６８との間の角度Ａ１を測定して、その値を再生装置による検証期間中の検索用にオリジナルの記録担体６０に格納する。データの開始位置６９は、マスタリング機の標準位置にある。
【００７９】
図７は、記録担体の複製に起因する、第１の予め定めた位置と第２の予め定めた位置との間の角度の変化を示している。
【００８０】
角度Ａ１でのデータの開始点がシフトすることを説明するために、図７は、第１の円形トラック７１および第２の円形トラック７２を大きくシフトして示してある。
【００８１】
図６と比較すると、データの開始点が移動すると角度Ａ１が変化することが、図７から明らかである。ビットは、一定のビット密度では、長めのトラックに格納されるので、違法に複製された記録担体上の第１のマーク７４および第２のマーク７５の双方は、トラックに沿ってシフトすることになる。トラックに沿うこのシフト距離は、第１のマーク７４および第２のマーク７５について同じであるが、第１の円形トラック７１は第２の円形トラック７２より短い円周を有しているため、第１のマーク７４の第１のトラック７１に沿う角シフトは、第２のマーク７５の第２の円形トラック７２に沿う角シフトより大きくなる。このように、角度Ａ１の変化は、違法な複製の必然の結果となる。角度Ａ１の値を格納することにより、違法に複製された記録担体を検出することができる。
【００８２】
図８は、本発明による、第１の予め定めた位置および第２の予め定めた位置を具えている記録担体を示している。
【００８３】
記録担体８０は、螺旋トラック８３を有している。本発明は円形トラックを有する記録担体にも同様に適用でき、螺旋トラックは非常に密であるため、螺旋トラックは円形トラックと等価なものとみなすことができる。したがって、図８には、第１の円形トラック８１および第２の円形トラック８２を示してある。第１の円形トラック８１上には、第１の予め定めた位置に第１のマーク８４が記録され、第２の円形トラック８２上には、予め定めた位置に第２のマーク８５が記録されている。記録担体の中心８６および第１のマーク８４を経て、第１の仮想線８７を記してある。記録担体の中心８６および第２のマーク８５を経て、第２の仮想線８８を記してある。
【００８４】
中心８６から第１のマーク８４までの距離は、第１の円形トラック８１の半径Ｒ１に等しい。
【００８５】
中心８６から第２のマーク８５までの距離は、第２の円形トラック８２の半径Ｒ２に等しい。
【００８６】
半径Ｒ１，Ｒ２または半径Ｒ１，Ｒ２の比率を求めて、再生装置による検証期間中の検索用にオリジナルの記録担体８０に格納する。データの開始位置８９は、マスタリング機の標準位置にある。
【００８７】
図９は、記録担体の複製に起因する、第１の予め定めた位置および第２の予め定めた位置の半径の変化を示している。
【００８８】
半径Ｒ１，Ｒ２でのデータの開始点がシフトすることを説明するために、図９は、第１の円形トラック９１および第２の円形トラック９２を大きくシフトして示してある。
【００８９】
図８と比較すると、第１の円形トラック９１の半径Ｒ１の変化率が、第２の円形トラック９２の半径Ｒ２の変化率より大きくなることが、図９から明らかである。このように、第１の円形トラック９１の半径Ｒ１の絶対値、および第２の円形トラック９２の半径Ｒ２の絶対値が変化するのみならず、半径Ｒ１，Ｒ２の比率もまた変化することになる。したがって、半径Ｒ１，Ｒ２の値または半径Ｒ１，Ｒ２の比率の値を格納しておくことにより、違法に複製された記録担体を検出することができる。
【００９０】
オリジナルの記録担体の回転および複製記録担体の回転をロックさせる複製機構を用いる場合には、オリジナルの記録担体の回転数と、目的とする違法複製記録担体の回転数とをロックすることで、データが正しい角度位置にリマスタリングされるため、角度位置に基づく検出はできない。円周上に２点を有し、これら２点が円の中心と共に、ある角度を規定する円の場合を考えてみる。この場合に、円の直径が増加するか、または減少しても、円の中心と、拡大した円周上の２点とによって規定される角度は、円の拡大によっては変化しない。
【００９１】
しかしながら、上述したように、半径Ｒ１，Ｒ２は、データの開始点の変化により変化し、すなわち、同じデータは、オリジナルの記録担体と比較すると、違法に複製した記録担体では、中心から異なる距離のトラックに記録されることになる。
【００９２】
この方法を用いると、トラック当りのチャネルビットの総量が完全にコピーされる。
【００９３】
その結果、角度を規定するのに用いる同期ワードＳ１，Ｓ２または他のマーク間の角度は、コピーされた記録担体に完全に再現される。しかしながら、マスタリング機における記録担体の回転軸に対する光スポットの相対半径ｒの公差によって、すなわち、位置センサの個々のシステマチック誤差によって生じる、ソースの記録担体のデータ開始半径とコピーした記録担体のデータ開始半径との不一致により、同じ総量のビットが、大きめまたは小さめの半径にて記録担体の１回転にわたって広がるため、記録担体にわたってビット長が徐々に変化するようになる。
【数１】
2008511091.tif 000003
【数２】
2008511091.tif 000004
【００９４】
コピーされたビットのチャネルビット長は、Δｂｌ＝ωｒｏｔ・Δｒ・Ｔｂｉｔだけ変化する。
【００９５】
ビット長の相対的な最大の変化（百分率的に）は、内側半径（２１ｍｍ）にて、マスタリング機の５μｍの半径のばらつきを伴って生じる。したがって、次の式が成り立つ。
【数３】
2008511091.tif 000005
【００９６】
クローン化記録担体を識別するために、記録担体上の特定の位置にて測定されるビット密度を、ＰＩＣバンド内にしっかり格納されているビット密度の値と比較する。
【００９７】
さらに、ビット長の変化は、２つの異なる位置で測定することもできる。
【００９８】
等速モードで記録したオリジナルの記録担体については、次の式が成り立つ。
【数４】
2008511091.tif 000006
【００９９】
ここで、ω１は、第１のマークを含むトラックを読み出す際の、オリジナルの記録担体の角速度を示し、ω２は、第１のマークを含むトラックを読み出す際と同じ線速度で第２のマークを含むトラックを読み出す際の、オリジナルの記録担体の角速度を示し、ｒ１は、第１のマークが位置付けられるトラックの半径を示し、ｒ２は、第２のマークが位置付けられるトラックの半径を示す。Ｖｓｃａｎは、この計算で用いているような、一定の線速度の記録担体に対しては一定とする走査速度を示す。
【０１００】
上記式は、次式に等しい。
【数５】
2008511091.tif 000007
【０１０１】
したがって、ω１およびω２を用いてｒ１とｒ２との比を求めることができる。
【０１０２】
ロックした回転制御ループおよびロックした並進制御ループを用いる複製プロセスでは、複製記録担体を生成するのに使用する機械のシステマチック誤差のため、またはデータの開始位置に意図的に導入したオフセットのために、半径にΔｒのオフセットが導入される。
【０１０３】
複製記録担体の場合には、上記式は、次式のように変化する。
【数６】
2008511091.tif 000008
【数７】
2008511091.tif 000009
【数８】
2008511091.tif 000010
【数９】
2008511091.tif 000011
【０１０４】
期待値と測定値との差は、次式のようになる。
【数１０】
2008511091.tif 000012
【０１０５】
ｒ１＝２１ｍｍ，ｒ２＝６０ｍｍ，そしてΔｒ＝5μｍと仮定すると、Ｄは４．４×１０−４になる。
【０１０６】
この差Ｄは、確実に検出するのに十分な大きさである。
【０１０７】
例えばビット毎の複製プロセスを用いて記録担体を複製する場合には、同期ワードＳ１とＳ２との間の角度を、ビット長の変化を犠牲にして保存することができ、または、ビット長を、同期ワードＳ１とＳ２との間の角度の変化を犠牲にして保存することができるが、両方とも同時に保存することはできない。
【０１０８】
したがって、同期ワードＳ１とＳ２との間、または他のマーク間の角度の変化と、ビット長の変化との双方の変化をチェックする再生装置は、違法に複製された記録担体を高い確度で検出することができる。この再生装置は、記録担体に格納されたデータの再生を阻止することによって、違法に複製された記録担体を使いものにならなくし、違法に複製された記録担体を無用なものにして、記録担体をマスタリングレベルで違法に複製することによる著作物の不正使用を防止する。
【０１０９】
ビット密度を求めることができる１つの方法は、特定のユーザビットレートで記録担体の回転数を測定するやり方である。
【０１１０】
この方法の変形例では、２つの位置の間（例えば、内側半径と外側半径との間）の相対的なビット密度の差を用いるようにする。２つの位置が異なるトラック上にある場合には、違法な複製によって導入される半径方向のオフセットが、両方の位置に対して等しくなる。
【０１１１】
しかしながら、そのオフセットはパーセンテージで表すと、記録担体の中心に近いトラック上の位置の方が、中心から離間したトラック上の位置よりもはるかに大きくなる。
【０１１２】
したがって、ビット密度が異なる比率に変わり、これは容易に検出することができる。
【０１１３】
第１の位置を記録担体の中心付近に、かつ第２の位置を記録担体の外縁端に最も近い位置に選択することにより、ビット密度の差が最大になり、検出するのが最も容易になる。
【０１１４】
例えばトラック１とトラック１００との間のように、異なるトラック間で記録担体の回転速度対データビットレートの関係を比較することによって、想定開始半径からの偏差を検出することができる。この測定を行う実際の方法は、一定のビットレートを維持しながらＮ番目のトラックを読み出すことにより記録担体の角速度を測定して行う。
【０１１５】
この測定は、記録担体上の第１のデータトラックと最後のデータトラックとの間で行うときが最も効果的である。
【０１１６】
図１０は、本発明による、著作権を管理する手段を具えている再生装置を示している。
【０１１７】
この再生装置は、記録担体１０１を回転させるスピンドルモータ１０２を具えている。スピンドルモータ１０２の速度はベーシックエンジン１０４によって制御し、そして、スピンドルモータ１０２には、ベーシックエンジン１０４に回転速度を帰還させるための回転速度計を取り付けてある。ベーシックエンジン１０４はさらに、光ピックアップユニット１０３を制御して、所望位置に光ピックアップユニット１０３を動かして、光ピックアップユニット１０３から検索データを受信することによって、記録担体からのデータを検索する。ベーシックエンジン１０４は、中央処理装置１０５から命令を受信して、ベーシックエンジンが検索するように指示したデータを、中央処理装置１０５に供給する。中央処理装置１０５は、著作権管理セクション１０６およびレギュラデータ処理セクション１０７を具えている。中央処理装置１０５は、測定された物理的パラメータのような著作権関連情報を著作権管理セクション１０６に供給する。レギュラデータは、レギュラデータ処理セクション１０７に供給される。著作権管理セクション１０６は、上述のように、測定した物理的パラメータが、記録担体１０１から検索した格納値と一致するかどうかを判定する。測定物理的パラメータが記録担体１０１から検索した格納値と一致する場合、著作権管理セクションは、レギュラデータ処理セクションにレギュラデータを処理する許可を与える。測定物理的パラメータが記録担体１０１から検索した格納値に一致しない場合には、著作権管理セクションが、レギュラデータ処理セクションにレギュラデータを処理しないよう指示する。このようにして、違法に複製された記録担体のデータへのアクセスを防止する。
【０１１８】
上述したように、再生装置１００は、記録担体１０１の所定のパラメータを測定できなければならない。
【０１１９】
ビット密度を求めるために、再生装置は、特定のユーザビットレートにて、記録担体の回転数を測定する。所望のビットレートが光ピックアップユニット１０３を経て受信されるまで、ベーシックエンジン１０４はスピンドルモータ１０２の回転速度を調整する。その後、スピンドルモータの回転速度計を用いて、回転速度および回転数を求める。
【０１２０】
この方法の変形例では、２つの位置の間（例えば、内側半径と外側半径との間）の最大の相対的なビット密度を用いる。２つの位置が異なるトラックにある場合には、違法な複製によって導入される半径方向のオフセットが、両方の位置に対して等しくなる。
【０１２１】
しかしながら、そのオフセットはパーセンテージで表すと、記録担体の中心に近いトラック上の位置の方が、中心から離間したトラック上の位置よりもはるかに大きくなる。
【０１２２】
したがって、ビット密度が異なる比率に変わり、これは容易に検出することができる。
【０１２３】
これを検出するために、ベーシックエンジン１０４は、スピンドルモータ１０２の回転速度を固定して、光ピックアップユニット１０３を第１の予め定めた位置に動かして、この位置にてビット密度を測定する。ベーシックエンジン１０４は、その後、光ピックアップユニット１０３を、他の予め定めた位置へ移動させて、ビット密度を求める。これらの値は、記録担体１０１から検索されるような、格納値と共に、中央処理装置１０５の著作権管理セクション１０６に送信される。
【０１２４】
この情報に基づいて、著作権管理セクションは、プレーヤの記録担体が違法な複製物であるか、またはオリジナルの記録担体であるかを判別することができる。
【０１２５】
再生装置は角度の変化を測定することもできる。
【０１２６】
違法に複製された記録担体は、プレーヤを用いて、実際の相対角度位置と記録担体に符号化した位置とを比較することによって認識することができる。このために、ベーシックエンジン１０４は、相対的な角度同期位置を判定するようにする。スピンドルモータ１０２が記録担体を一回転させるのに必要な時間は、ベーシックエンジン１０４により、同じ同期ワードが２つ連続して出現する間に経過する時間を測定することで求められる。その後、ベーシックエンジン１０４は、光ピックアップユニット１０３を、角度を決定する第１の同期ワードが位置付けられているトラックに移動させる。ベーシックエンジン１０４は、第１の同期ワードが出現するまで待機し、角度を決定する第２の同期ワードが位置付けられているトラックに即座にジャンプして、第２の同期ワードが出現するまでに経過する時間を求める。２つの経過した時間の比によって、著作権管理セクション１０６は、２つの位置間の角度を算出できる。
【０１２７】
この実施例の変形例として、同期ワードの代わりに、任意のチャネルワードまたは任意の復号したチャネルワードまたは任意のエラー訂正したユーザデータワードの位置を使用することもできる。
【０１２８】
同期ワードＳ１とＳ２との相対的な角度位置を決定する場合には、スピンドルモータ１０２の回転速度計から得られるような基準位置信号が有効である。ほとんどの記録担体プレーヤには、例えばスピンドルモータを制御するためにタコ信号が存在し、このタコ信号を１回転当りのタコパルス数で除することによって、１回転当りのパルス（1-Pulse-Per-revolution：１ＰＰＲ）信号を導き出すことができる。
【図面の簡単な説明】
【０１２９】
【図１】マスタリング機を使用する標準的な記録の構成を示す図である。
【図２】本発明によるマスタリング機を使用する記録の構成を示す図である。
【図３】違法複製された記録担体を検出できるマークを有する記録担体を示す図である。
【図４】１ＰＰＲ信号の導出を示す図である。
【図５】記録担体の回転をロックして複製を行う機構を示す図である。
【図６】本発明による第１の予め定めた位置および第２の予め定めた位置を有するオリジナルの記録担体を示す図である。
【図７】記録担体の複製に起因する第１の予め定めた位置と第２の予め定めた位置との間の角度の変化を示す図である。
【図８】本発明による第１の予め定めた位置および第２の予め定めた位置を有するオリジナルの記録担体を示す図である。
【図９】記録担体の複製に起因する第１の予め定めた位置および第２の予め定めた位置の半径の変化を示す図である。
【図１０】本発明による著作権管理用の手段を具えている再生装置を示す図である。
【図１】
2008511091.tif 000013
【図２】
2008511091.tif 000014
【図３】
2008511091.tif 000015
【図４】
2008511091.tif 000016
【図５】
2008511091.tif 000017
【図６】
2008511091.tif 000018
【図７】
2008511091.tif 000019
【図８】
2008511091.tif 000020
【図９】
2008511091.tif 000021
【図１０】
2008511091.tif 000022
【国際調査報告】
2008511091.tif 000023
2008511091.tif 000024